(57)【要約】【課題】ＤＶＤ−Ｒ／ＲＷディスク等のようにランドプリピットアドレスを用いてアドレスを特定する光ディスクに対して、高速度記録を行なう場合も、スペース部のランドプリピットアドレスを精度よく検出できるようにする。【解決手段】ＴＥ信号用減算器１０１でＴＥ＋信号からＴＥ−信号を減算してトラッキングエラー信号を生成し、比較器１０２によってトラッキングエラー信号を二値化する。また、光ディスクに照射するレーザ光が電気信号に変換されたＶＤＰ信号を、ＶＰＤ信号二値化器１０３によって二値化し、遅延器１０４によって、ＶＰＤ信号二値化器１０３の出力をトラッキングエラー信号が生成されるまでに要する時間だけ遅延させる。そして、ランドプリピット検出用減算器１０５によって、比較器１０２の出力から遅延器１０４の出力を減算し、減算結果をランドプリピットアドレス信号として出力する。【選択図】図１
2007193925.tif 000002
【特許請求の範囲】
【請求項１】
光ディスクにレーザ光が照射された際の反射光に基づいて、ランドプリピットアドレスを検出するランドプリピット検出回路であって、
ランドプリピットアドレス示すランドプリピットアドレス成分を含んだトラッキングエラー信号を、前記反射光から生成するとともに、生成したトラッキングエラー信号を二値化するトラッキングエラー信号二値化器と、
前記光ディスクへ照射するレーザ光が電気信号に変換されて二値化された信号であるＶＰＤａ信号を、前記トラッキングエラー信号が生成されるまでに要する時間だけ遅延させる遅延器と、
前記トラッキングエラー信号二値化部の出力から前記遅延器の出力を減算するとともに、減算結果を、ランドプリピットアドレスを示すランドプリピットアドレス信号として出力するランドプリピット検出用減算器と、
を備えたことを特徴とするランドプリピット検出回路。
【請求項２】
請求項１のランドプリピット検出回路であって、
前記トラッキングエラー信号二値化器は、生成したトラッキングエラー信号から低周波成分を除去するハイパスフィルタを備えていることを特徴とするランドプリピット検出回路。
【請求項３】
請求項２のランドプリピット検出回路であって、
前記遅延器は、前記ＶＰＤａ信号に対する前記トラッキングエラー信号二値化器の出力の遅延量を検出するとともに、検出した遅延量だけ、前記ＶＰＤａ信号を遅延させて出力するように構成されていることを特徴とするランドプリピット検出回路。
【請求項４】
請求項３のランドプリピット検出回路であって、
さらに、前記トラッキングエラー信号に含まれるランドプリピットアドレス成分を強調するランドプリピットアドレス成分強調部を備えていることを特徴とするランドプリピット検出回路。
【請求項５】
請求項１のランドプリピット検出回路であって、
前記光ディスクは、記録用に照射されるレーザ光のパワーが第１の強度と第２の強度の間で切り替えられて、前記第１の強度のレーザ光で非晶質領域が生成され、前記第２の強度のレーザ光で再結晶領域が生成されて情報が記録されるものであり、
前記遅延器は、前記光ディスク上のマークおよびスペースのそれぞれに対応してレーザ光のパワーの切り替えタイミングを制御する切り替えタイミング制御信号が、前記ＶＰＤａ信号に代えて入力され、前記切り替えタイミング制御信号に対する前記トラッキングエラー信号二値化器の出力の遅延量を検出するとともに、検出した遅延量だけ前記切り替えタイミング制御信号を遅延させて出力するように構成されていることを特徴とするランドプリピット検出回路。
【発明の詳細な説明】
【技術分野】
【０００１】
本発明は、ＤＶＤ−Ｒ／ＲＷディスク等からの反射光に基づいて、ランドプリピットアドレスを検出するランドプリピット検出回路に関するものである。
【背景技術】
【０００２】
情報の記録／再生を行う光ディスクの一つのフォーマットとしてＤＶＤ−Ｒ／ＲＷがある。このＤＶＤ−Ｒ／ＲＷフォーマットの第１の特徴は、ＤＶＤ−ＲＯＭフォーマットとの互換性を高めるために、情報の記録や再生を行う際にアドレスを特定するために必要なアドレス情報が、情報の記録／再生を行うディスクの案内溝（グルーブとも呼ぶ）の間部（ランドとも呼ぶ）に形成されていることである。このアドレスは、「ランドプリピットアドレス」または「ＬＰＰアドレス」とも称される。ＬＰＰ（Ｌａｎｄ  Ｐｒｅ−Ｐｉｔ）とは、ＤＶＤ−Ｒ／ＲＷ特有のもので、ディスクに記録する際の位置情報を示すために、グルーブに掘られているアドレスを表す溝を言い、ＬＰＰアドレスとはＬＰＰが表す位置情報を言う。
【０００３】
また、記録／再生の対象となる情報がマークとして記録される光ディスクの領域をトラックと呼ぶ。記録トラックに追従して、入射した光を検出し、少なくとも２つ以上の光量信号を生成するために、光ディスク装置にはディテクタが設けられる。アドレス情報は、複数の光量信号の差をとった差動信号に基づいて検出され、記録／再生された情報は複数の光量信号の和をとった加算信号に基づいて検出される。
【０００４】
ＤＶＤ−Ｒ／ＲＷフォーマットの第２の特徴は、光ディスクに設けられた案内溝（グルーブ）が、一定の周波数で半径方向に揺動されるウォブル（うねり）を有していることである。ウォブルに基づいて得られるウォブル信号は、情報の記録および再生を行うクロックを生成するためのリファレンス信号として利用される。また、アドレス情報の検出と同様に、ウォブルも、複数の光量信号の差をとった差動信号に基づいて検出される。
【０００５】
光ディスク記録再生装置においては、ＤＶＤ−ＲＷに対する情報の記録は、簡単に言えば、記録用レーザの強度を交互に大と小に変化させてトラックに照射させて行われる。つまり、大強度のレーザを照射して、記録膜を溶融させた後に急冷することで、反射率の低いマークを形成する。そして、次に小強度のレーザを照射して、記録膜を結晶化させて反射率の高いスペースを形成する。このようにして、２つスペースの間に存在するマークによって、ビットがトラック上に形成される。
【０００６】
前記のディテクタは、光学ヘッドに４つ設けられている。すなわち、光学ヘッドには、４つディテクタを設けるために、トラックに沿った方向（トラック方向）に平行な分割線と垂直な分割線とによって分割された４つ領域が存在する。換言すれば、光ディスクの円周方向に沿って、４つのディテクタＡ、Ｂ、Ｃ、およびＤが存在する。なお、ディテクタＡおよびＤは、トラックに平行な分割線によって、ディテクタＢおよびＣと分断されている。光学ヘッドからは、光ディスクにレーザ光が照射され、４つのディテクタＡ、Ｂ、Ｃ、およびＤは、光ディスクによって反射されたレーザ光の光量をそれぞれ検出して出力する。
【０００７】
ディテクタＡ、Ｂ、Ｃ、およびＤのそれぞれからは光量信号Ｔａ、Ｔｂ、Ｔｃ、およびＴｄが出力される。光量信号Ｔａと光量信号Ｔｄの和をＴＥ＋信号とし、光量信号Ｔｂと光量信号Ｔｃの和をＴＥ−信号とする。つまり、ディテクタＡおよびＢと、ディテクタＢおよびＣは、トラックに平行な分割線で分けられた２つのディテクタＡＤとトラッキングディテクタＢＣと見なすことができる。ここで、ディテクタＡＤとトラッキングディテクタＢＣのそれぞれから出力される信号（ＴＥ＋信号とＴＥ−信号）の差をトラッキングエラー信号ＴＥとする。つまり、ＴＥ＝（ＴＥ＋）−（ＴＥ−）と表現される。
【０００８】
次に、図７、図８、図９、図１０、および図１１を参照して、従来の光ディスク記録再生装置（例えば特許文献１を参照）で用いられているランドプリピット検出回路について説明する。
【０００９】
図７は、従来のランドプリピット検出回路の一例であるランドプリピット検出回路７００の構成を示すブロック図である。図７に示すように、ランドプリピット検出回路７００は、減算器７０１と比較器７０２と、第１の入力端子Ｔｉ１、第２の入力端子Ｔｉ２、および出力端子Ｔｏを備えている。第１の入力端子Ｔｉ１、および第２の入力端子Ｔｉ２は、上述のディテクタＡＤおよびディテクタＢＣにそれぞれ接続されて、ＴＥ＋信号およびＴＥ−信号が入力されている。
【００１０】
図８および図９に、ＴＥ＋信号およびＴＥ−信号をそれぞれ示す。図８に示すように、ＴＥ＋信号は、その包絡線が正弦波状に変化するＲＦ（Ｒａｄｉｏ  Ｆｒｅｑｕｅｎｃｙ）成分ＥｒＦと、ＲＦ成分の各頂点に位置するＬＰＰ成分Ｅｌｐｐを含んでいる。なお、ＲＦ成分の包絡線はウォブル成分Ｅｗｂｌを表している。
【００１１】
図９に示すように、ＴＥ−信号は、基本的にＴＥ＋信号と同様の波形を有するが符号が逆である。マーク部分およびスペース部分のうちの何れの領域の電圧レベルが高電位側になるかは、用いる光ピックアップの特性によってことなるが、図８および図９に示す例においては、マーク部分が高電位である。
【００１２】
なお、本来、マークとはディスク上に形成されたピット部分を言い、またスペースとはピットとピットの間の領域を言う。しかしながら、以下の説明においては、表現の冗長を避けるために、ディスクからの反射光をディテクタで電気信号に変換した後のマーク部分の電圧レベルも「マーク」と呼び、スペース部分の電圧レベルも「スペース」と呼ぶものとする。
【００１３】
減算器７０１は、第１の入力端子Ｔｉ１および第２の入力端子Ｔｉ２に接続されて、入力されたＴＥ＋信号からＴＥ−信号を減算した信号を、トラッキングエラー信号ＴＥとして出力するようになっている。
【００１４】
図１０に、トラッキングエラー信号ＴＥの波形を示す。原理上は、ＴＥ＋信号とＴＥ−信号との減算により、ＲＦ成分（マークとスペースから構成された信号）を除去しウォブル成分ＥｗｂｌとＬＰＰ成分Ｅｌｐｐが抽出できる。同図において、低周波成分がウォブル成分Ｅｗｂｌを表し、ウォブル成分Ｅｗｂｌの頂点でのパルスがＬＰＰ成分Ｅｌｐｐを示している。
【００１５】
比較器７０２の２つの入力ポートの一方は、減算器７０１に接続され、もう一方の入力ポートは基準電位ＶｒｅＦに接続されている。つまり、比較器７０２は、減算器７０１から入力されるトラッキングエラー信号ＴＥを、基準電位ＶｒｅＦを用いて二値化して、レベルがＬＰＰ二値化レベルＬｌまたはＷＢＬ二値化レベルＬｗの二値化信号（ＬＰＰ二値化信号Ｂｐ）を生成するとともに、生成した二値化信号を出力端子Ｔｏから出力する。
【００１６】
図１１に、トラッキングエラー信号ＴＥを二値化するレベルを調整して得られる種々の信号を示す。同図において、点線Ｌｗはトラッキングエラー信号ＴＥのウォブル信号成分の二値化の閾値として用いられるＷＢＬ二値化レベルを表し、矩形波Ｂｗは得られたＷＢＬ二値化信号Ｂｗを表している。同様に点線Ｌｌはトラッキングエラー信号ＴＥのＬＰＰ信号成分の二値化の閾値として用いられるＬＰＰ二値化レベルＬｌを表し、矩形波ＢｌｐｐはＬＰＰ二値化信号を表している。なお、ＬＰＰ二値化信号ＢｌｐｐはＬＰＰ検出信号であり、ＷＢＬ二値化信号Ｂｗはウォブル検出信号である。
【００１７】
図１０および図１１は、フォトディテクタの中心がディスク溝の中心に位置する状態（オントラック状態と呼ぶ）でのトラッキングエラー信号ＴＥ、およびその二値化の様子を表している。つまり、マーク／スペースの部分の電圧レベルは、ＴＥ＋信号とＴＥ−信号において差はない。ＴＥ＋信号およびＴＥ−信号は共に、マーク／スペースの電圧レベル差は大きい。すなわち、トラッキングエラー信号ＴＥにおいては、マーク／スペースに対応するＲＦ成分ＥｒＦがきれいに除去されて、ＬＰＰ成分Ｅｌｐｐが顕著に認められる。この場合、ウォブル成分Ｅｗｂｌより突出しているＬＰＰ成分Ｅｌｐｐの高さを、オントラックＬＰＰ高Ｈａと呼ぶ。
【００１８】
図１２に、非オントラック状態でのトラッキングエラー信号ＴＥを示す。つまり、実際の光ディスク記録再生装置においては、光ピックアップの受光素子感度、光ピックアップとＩＣを結ぶフレキシブル配線のインピーダンスや、ＩＣの入力アンプの素子相対バラツキから生じるゲイン差などによって、ＴＥ＋信号とＴＥ−信号の振幅が不均一になる。その結果、ＴＥ＋信号とＴＥ−信号を減算する際に、ＲＦ成分が残留する。同図において、２つの正弦波の間の部分が残留したＲＦ成分を表している。なお、ＲＦ成分の残留成分をＲＦ残留成分Ｒｒｐと呼ぶものとする。
【００１９】
この場合のウォブル成分Ｅｗｂｌのピークより突出しているＬＰＰ成分Ｅｌｐｐの高さは、オントラックＬＰＰ高Ｈａよりも、ＲＦ残留成分ＲｒｐＲｒＦの分だけ小さくなる。ここでＬＰＰ成分の高さを非オントラックＬＰＰ高Ｈｂと呼ぶ。この場合、Ｈａ＞Ｈｂが成立する。このため、図１１に示したように、オントラック時と同様に二値化レベルを定めても、ＬＰＰ二値化信号ＢｐあるいはＷＢＬ二値化信号Ｂｗを正しく検出できない。このため、上述の従来の光ディスク記録再生装置においては、ＲＦ成分ＥｒＦの振幅が等しくなる様にゲイン調整を行い、ＬＰＰの検出率を高めている。
【特許文献１】特開２００２−２１６３６３号公報
【発明の開示】
【発明が解決しようとする課題】
【００２０】
しかし、標準の記録速度に対して数倍の速さで記録する高倍速記録時（一般に倍速記録と言われる）には、記録用レーザのパワーを低速記録時と同じにすると、ディスクに対する単位面積当たりの照射パワーが小さくなる。つまり、高速記録時には、ディスク上の放熱性が良くなるために、低速記録時に生成されるのと同様のマークを形成するには、レーザの照射パワーを大きくする必要がある。一般的には、記録速度が２倍になると、レーザの照射パワーは１．４１倍にする必要があることが知られている。一方、スペースの領域形成は、レーザパワーの変化に対するディスク膜質の変化量が小さいために、高速記録時においてもレーザパワーを増大させる必要がないことも知られている。
【００２１】
このように、高速記録時には、マークを形成するためにレーザパワーを増大させる必要がある。その結果、ＴＥ＋信号およびＴＥ−信号におけるマーク部からの反射光成分の振幅は大きくなるが、スペース部からの反射光成分の振幅は相対的に小さくなる。このマーク部とスペース部の反射光成分の振幅の変化を相殺するには、回路のダイナミックレンジを考慮して、低倍速時の振幅と同じレベルぐらいまでゲインを下げる必要がある。
【００２２】
ゲインを下げると、図１３に示すように、減算後のトラッキングエラー信号ＴＥにおけるスペース成分に重なるＬＰＰ成分の振幅Ｅｌｐｐ（スペース）も小さくなる。その際、ＲＦ残留成分Ｒｒｐの振幅は変わらないので、スペース成分に重なるＬＰＰ成分Ｅｌｐｐ（スペース）は、ＲＦ残留成分Ｒｒｐに埋もれてしまい、より高速に書き込みを行ないたい場合などには、ＬＰＰ成分の検出が困難になる可能性がある。すなわち、ランドプリピット検出回路７００において、比較器７０２から出力されるＬＰＰ二値化信号Ｂｌｐｐには、スペースに対応するＬＰＰ二値化信号Ｂｌｐｐ（ｓ）が殆ど含まれず、マークに対応するＬＰＰ二値化信号Ｂｌｐｐ（ｍ）のみしか検出できない可能性がある。
【００２３】
本発明は、上記の問題に着目してなされたものであり、ＤＶＤ−Ｒ／ＲＷディスク等のようにランドプリピットアドレスを用いてアドレスを特定する光ディスクに対して、高速度記録を行なう場合も、スペース部のランドプリピットアドレスを精度よく検出できるランドプリピット検出回路を提供することを目的とする。
【課題を解決するための手段】
【００２４】
前記の課題を解決するため、請求項１の発明は、
光ディスクにレーザ光が照射された際の反射光に基づいて、ランドプリピットアドレスを検出するランドプリピット検出回路であって、
ランドプリピットアドレス示すランドプリピットアドレス成分を含んだトラッキングエラー信号を、前記反射光から生成するとともに、生成したトラッキングエラー信号を二値化するトラッキングエラー信号二値化器と、
前記光ディスクへ照射するレーザ光が電気信号に変換されて二値化された信号であるＶＰＤａ信号を、前記トラッキングエラー信号が生成されるまでに要する時間だけ遅延させる遅延器と、
前記トラッキングエラー信号二値化部の出力から前記遅延器の出力を減算するとともに、減算結果を、ランドプリピットアドレスを示すランドプリピットアドレス信号として出力するランドプリピット検出用減算器と、
を備えたことを特徴とする。
【００２５】
これにより、ＤＶＤ−Ｒ／ＲＷディスク等のようにランドプリピットアドレスを用いてアドレスを特定する光ディスクに対して、高速度記録を行なう場合も、スペース部のランドプリピットアドレスを精度よく検出できる。
【００２６】
また、請求項２の発明は、
請求項１のランドプリピット検出回路であって、
前記トラッキングエラー信号二値化器は、生成したトラッキングエラー信号から低周波成分を除去するハイパスフィルタを備えていることを特徴とする。
【００２７】
これにより、トラッキングエラー信号を二値化する際に、トラッキングエラー信号に含まれるウォブル信号自身がスライスされて誤検出されて、出力されることが無くなる。
【００２８】
また、請求項３の発明は、
請求項２のランドプリピット検出回路であって、
前記遅延器は、前記ＶＰＤａ信号に対する前記トラッキングエラー信号二値化器の出力の遅延量を検出するとともに、検出した遅延量だけ、前記ＶＰＤａ信号を遅延させて出力するように構成されていることを特徴とする。
【００２９】
これにより、適切に遅延量が設定されるので、例えばディスクの製造バラツキや光ピックアップの製造バラツキがあっても、スペース部のランドプリピットアドレスを精度よく検出できる。
【００３０】
また、請求項４の発明は、
請求項３のランドプリピット検出回路であって、
さらに、前記トラッキングエラー信号に含まれるランドプリピットアドレス成分を強調するランドプリピットアドレス成分強調部を備えていることを特徴とする。
【００３１】
これにより、トラッキングエラー信号に含まれるランドプリピット成分のバランス量が可変されるので、スペース部のランドプリピットアドレスを精度よく検出できる。
【００３２】
また、請求項５の発明は、
請求項１のランドプリピット検出回路であって、
前記光ディスクは、記録用に照射されるレーザ光のパワーが第１の強度と第２の強度の間で切り替えられて、前記第１の強度のレーザ光で非晶質領域が生成され、前記第２の強度のレーザ光で再結晶領域が生成されて情報が記録されるものであり、
前記遅延器は、前記光ディスク上のマークおよびスペースのそれぞれに対応してレーザ光のパワーの切り替えタイミングを制御する切り替えタイミング制御信号が、前記ＶＰＤａ信号に代えて入力され、前記切り替えタイミング制御信号に対する前記トラッキングエラー信号二値化器の出力の遅延量を検出するとともに、検出した遅延量だけ前記切り替えタイミング制御信号を遅延させて出力するように構成されていることを特徴とする。
【００３３】
これにより、より簡略な回路で、スペース部のランドプリピットアドレスを精度よく検出できる。
【発明の効果】
【００３４】
本発明によれば、ＤＶＤ−Ｒ／ＲＷディスク等のようにランドプリピットアドレスを用いてアドレスを特定する光ディスクに対して、高速度記録を行なう場合も、スペース部のランドプリピットアドレスを精度よく検出できる。
【発明を実施するための最良の形態】
【００３５】
以下、本発明の実施形態について図面を参照しながら説明する。なお、本発明にかかるランドプリピット検出回路は、光ディスク記録再生装置等に組み込まれて使用される。なお、以下の説明では、特に必要で無い限り光ディスク記録再生装置に関する説明は省いて、本発明にかかるランドプリピット検出回路に固有の特徴のみを重点的に説明する。
【００３６】
《発明の実施形態１》
図１は、本発明の実施形態１に係るランドプリピット検出回路１００の構成を示すブロック図である。図１に示すように、ランドプリピット検出回路１００は、ＴＥ信号用減算器１０１、比較器１０２、ＶＰＤ信号二値化器１０３、遅延器１０４、ランドプリピット検出用減算器１０５、第１の入力端子Ｔｉ１、第２の入力端子Ｔｉ２、第３の入力端子Ｔｉ３、および出力端子Ｔｏを備えている。
【００３７】
一方、光ディスク記録再生装置は、光学ヘッドを備え、光学ヘッドからは、光ディスクにレーザ光が照射されるようになっている。また、光学ヘッドは、光ディスクによって反射されたレーザ光の光量を検出するディテクタが４つ設けられている（ディテクタＡ、Ｂ、Ｃ、およびＤ）。具体的には光学ヘッドには、４つディテクタを設けるために、トラックに沿った方向（トラック方向）に平行な分割線と垂直な分割線とによって分割された４つ領域を有し、ディテクタＡおよびＤは、トラックに平行な分割線によって、ディテクタＢおよびＣと分断されている。
【００３８】
ここで、ディテクタＡ、Ｂ、Ｃ、およびＤが検出した光量信号をそれぞれＴａ、Ｔｂ、Ｔｃ、およびＴｄとする。また、光量信号Ｔａと光量信号Ｔｄの和をＴＥ＋信号とし、光量信号Ｔｂと光量信号Ｔｃの和をＴＥ−信号とする。つまり、ディテクタＡおよびＢと、ディテクタＢおよびＣは、トラックに平行な分割線で分けられた２つのディテクタと見なすことができる(ディテクタＡＤとトラッキングディテクタＢＣと呼ぶ)。ここで、ディテクタＡＤとトラッキングディテクタＢＣのそれぞれから出力される信号（ＴＥ＋信号とＴＥ−信号）の差をトラッキングエラー信号ＴＥとする。
【００３９】
第１の入力端子Ｔｉ１および第２の入力端子Ｔｉ２は、それぞれ上述のディテクタＡＤおよびディテクタＢＣに接続されて、ＴＥ＋信号およびＴＥ−信号が入力されている。また、第３の入力端子Ｔｉ３は、光学ヘッドから射出したレーザ光が電気信号に変換された信号（ＶＰＤ信号）が入力されている。
【００４０】
ＴＥ信号用減算器１０１は、第１の入力端子Ｔｉ１および第２の入力端子Ｔｉ２に接続され、入力されたＴＥ＋信号からＴＥ−信号を減算して、トラッキングエラー信号ＴＥとして出力するようになっている。
【００４１】
比較器１０２は、２つの入力ポートのうちの一方の入力ポートがＴＥ信号用減算器１０１に接続され、もう一方の入力ポートが基準電位Ｖｒｅｆに接続されている。そして、基準電位Ｖｒｅｆを用いて、トラッキングエラー信号ＴＥを二値化した信号（ＴＥａ信号）を出力するようになっている。なお、ＴＥ信号用減算器１０１と比較器１０２とを合わせて、トラッキングエラー信号二値化器と呼ぶことにする。
【００４２】
ＶＰＤ信号二値化器１０３は、ＶＰＤ信号を二値化した信号（ＶＰＤａ信号）を遅延器１０４に出力するようになっている。
【００４３】
遅延器１０４は、マークとスペースの切替タイミングと、実際にディテクタで検出されるマーク部およびスペース部からの反射信号との時間差Ｄｔだけ（すなわち、トラッキングエラー信号ＴＥが生成されるまでに要する時間だけ）、ＶＰＤａ信号を遅延させた信号（ＶＰＤｂ信号）を出力するようになっている。なお、時間差Ｄｔは、予め、実験等の適切な手段で求めておけば良い。
【００４４】
ランドプリピット検出用減算器１０５は、ＴＥａ信号からＶＰＤｂ信号を減算して、スペース部のＬＰＰ二値化信号Ｂｌｐｐ（ｓ）を生成して、出力端子Ｔｏから出力するようになっている。
【００４５】
上記のように構成されたランドプリピット検出回路１００では、比較器１０２が出力したＴＥａ信号からＶＰＤｂ信号を減算することによって、ＴＥａ信号からＲＦ残留成分が相殺される。すなわち、本実施形態によれば、ＤＶＤ−Ｒ／ＲＷディスク等のようにランドプリピットアドレスを用いてアドレスを特定する光ディスクに対して、高速度記録を行なう場合も、スペース部のランドプリピットアドレスを精度よく検出できる。
【００４６】
《発明の実施形態２》
図２は、本発明の実施形態２に係るランドプリピット検出回路２００の構成を示すブロック図である。なお、以下に説明する各実施形態において、前記実施形態１等と同様の機能を有する構成要素については、同一の符号を付して説明を省略する。
【００４７】
図２に示すように、ランドプリピット検出回路２００は、図１に示したランドプリピット検出回路１００において、ＴＥ信号用減算器１０１と比較器１０２の間にハイパスフィルタ２０１（図中では、ＨＰＦと略記）が追加されている。
【００４８】
ハイパスフィルタ２０１は、トラッキングエラー信号ＴＥに含まれる低周波成分であるウォブル信号を取り除いた信号（ＴＥａ’信号)を出力するようになっている。
【００４９】
上記のように構成されたランドプリピット検出回路２００では、例えば倍速記録によってウォブル信号の振幅が変化しても、比較器１０２が基準電位Ｖｒｅｆに基づいて、ＴＥａ’信号を二値化する際に、ウォブル信号自身がスライスされて誤検出されて、ＴＥａ信号として出力されることが無くなる。
【００５０】
すなわち、本実施形態においても、スペース部のＬＰＰ二値化信号Ｂｌｐｐ（ｓ）を精度よく検出することが可能になる。
【００５１】
《発明の実施形態３》
図３は、本発明の実施形態３に係るランドプリピット検出回路３００の構成を示すブロック図である。ランドプリピット検出回路３００は、図２に示したランドプリピット検出回路２００において、遅延器１０４の代わりに遅延器３０１が追加されている。
【００５２】
遅延器３０１は、２つの入力ポートの一方のポートに比較器１０２が出力したＴＥａ信号が接続され、もう一方の入力ポートにＶＰＤ信号二値化器１０３が出力したＶＰＤａ信号が接続され、ＶＰＤａ信号に対するＴＥａ信号の遅延量を検出して、検出した遅延量だけＶＰＤａ信号が遅延するように位相を調整して出力するようになっている。
【００５３】
ランドプリピット検出回路１００やランドプリピット検出回路２００では、光ディスク記録再生装置に遅延がある場合等には、遅延器１０４に設定する初期遅延を学習する必要がある。しかし、本実施形態では、遅延器３０１は、ＴＥａ信号に対して、ＶＰＤａ信号の位相を調整し出力するので、初期遅延の学習は不要である。つまり、遅延器３０１により位相調整を行うことで、ディスクの製造バラツキや光ピックアップの製造バラツキまでも吸収できる。
【００５４】
《発明の実施形態４》
図４は、本発明の実施形態４に係るランドプリピット検出回路４００の構成を示すブロック図である。ランドプリピット検出回路４００は、図４に示すように、図３に示したランドプリピット検出回路３００において、第１の入力端子Ｔｉ１とＴＥ信号用減算器１０１の間に第１のバランス回路４０１が追加され、第２の入力端子Ｔｉ２とＴＥ信号用減算器１０１の間に第２のバランス回路４０２が追加されている。
【００５５】
第１のバランス回路４０１と第２のバランス回路４０２は、ＴＥ＋信号とＴＥ−信号に含まれるランドプリピットアドレス成分をより強調するようになっている。すなわち、第１のバランス回路４０１と第２のバランス回路４０２によって、ＴＥ信号用減算器１０１の出力（トラッキングエラー信号ＴＥ）に含まれるランドプリピットアドレス成分が強調される。なお、第１のバランス回路４０１と第２のバランス回路４０２とを合わせて、ランドプリピットアドレス成分強調部と呼ぶことにする。
【００５６】
上記のように構成されたランドプリピット検出回路４００における各信号の波形を図５に示す。
【００５７】
図５の第１段目と第２段目は、ＴＥ＋信号とＴＥ−信号を示している。また、第３段目は、ＴＥ信号用減算器１０１が出力したトラッキングエラー信号ＴＥの波形を示している。同図に示すように、ＴＥ＋信号とＴＥ−信号との減算の結果、トラッキングエラー信号ＴＥにおいては、マークのＬＰＰ成分Ｅｌｐｐ（ｍ）はＲＦ成分ＥｒＦから大きく突出しているが、スペースのＬＰＰ成分Ｅｌｐｐ（ｓ）はＲＦ成分ＥｒＦに埋もれている。
【００５８】
図５の第４段目は、ハイパスフィルタ２０１から出力されるＴＥａ’信号の波形を示している。ＴＥａ’信号では、低周波成分であるＷＢＬ信号が除去されているのが見て取れる。
【００５９】
図５の第５段目は、比較器１０２から出力されるトラッキングエラー信号ＴＥの波形を示している。
【００６０】
図５の第６段目は、遅延器３０１が出力したＶＰＤｂ信号の波形を示している。遅延器３０１によって、ＴＥａ信号と位相が合っているのが見て取れる。
【００６１】
図５の第７段目は、ランドプリピット検出用減算器１０５が出力したＬＰＰ二値化信号Ｂｌｐｐ（ｓ）の波形が表示されている。すなわち、スペース部のＬＰＰが検出されている。
【００６２】
上記のようにランドプリピット検出回路４００では、第１のバランス回路４０１と第２のバランス回路４０２によって、ＴＥ信号用減算器１０１が出力するトラッキングエラー信号ＴＥに含まれるランドプリピット成分のバランス量が可変されるので、スペース部のＬＰＰ二値化信号Ｂｌｐｐ（ｓ）を精度よく検出することが可能となる。
【００６３】
《発明の実施形態５》
図６は、本発明の実施形態５に係るランドプリピット検出回路５００の構成を示すブロック図である。ランドプリピット検出回路５００は、ランドプリピット検出回路４００と比べ、ＶＰＤ信号二値化器１０３が省略されている点、および遅延器３０１の一方のポートに入力される信号が異なっている。
【００６４】
遅延器３０１の一方のポートには、ディスク上のマークおよびスペースのそれぞれに対応して、記録レーザパワーの切り替えタイミングを制御している信号（切り替えタイミング制御信号：以下ＳＷ１信号と呼ぶ。）が入力されている。ＳＷ１信号は、例えば、マーク部を照射する際にはハイレベルとなり、スペース部を照射する際にはローレベルとなる二値の値を有する信号である。
【００６５】
したがって、ランドプリピット検出回路５００においても、ＴＥａ信号からＲＦ残留成分が相殺され、前記のランドプリピット検出回路４００等と同等の効果が得られる。また、本実施形態は、ＶＰＤ信号二値化器１０３が省略されている分だけ、ランドプリピット検出回路４００と比べ、回路を簡略化できる。
【産業上の利用可能性】
【００６６】
本発明に係るランドプリピット検出回路は、ＤＶＤ−Ｒ／ＲＷディスク等のようにランドプリピットアドレスを用いてアドレスを特定する光ディスクに対して、高速度記録を行なう場合も、スペース部のランドプリピットアドレスを精度よく検出できるという効果を有し、ＤＶＤ−Ｒ／ＲＷディスク等からの反射光に基づいて、ランドプリピットアドレスを検出するランドプリピット検出回路等として有用である。
【図面の簡単な説明】
【００６７】
【図１】実施形態１に係るランドプリピット検出回路の構成を示すブロック図である。
【図２】実施形態２に係るランドプリピット検出回路の構成を示すブロック図である。
【図３】実施形態３に係るランドプリピット検出回路の構成を示すブロック図である。
【図４】実施形態４に係るランドプリピット検出回路の構成を示すブロック図である。
【図５】実施形態４に係るランドプリピット検出回路における各信号の波形を表す図である。
【図６】実施形態５に係るランドプリピット検出回路の構成を示すブロック図である。
【図７】従来のランドプリピット検出回路の構成を示すブロック図である。
【図８】ＴＥ＋信号の波形を示す模式図である。
【図９】ＴＥ−信号の波形を示す模式図である。
【図１０】オントラック状態でのトラッキングエラー信号の波形を示す模式図である。
【図１１】図１０に示したトラッキングエラー信号を二値化して、ＷＢＬ信号とＬＰＰ信号とを求める方法の説明図である。
【図１２】非オントラック状態でのトラッキングエラー信号の波形を示す模式図である。
【図１３】スペースのＬＰＰ成分がＲＦ成分に埋もれている場合のトラッキングエラー信号の波形を示す模式図である。
【符号の説明】
【００６８】
１００      ランドプリピット検出回路
１０１      ＴＥ信号用減算器
１０２      比較器
１０３      ＶＰＤ信号二値化器
１０４      遅延器
１０５      ランドプリピット検出用減算器
２００      ランドプリピット検出回路
２０１      ハイパスフィルタ
３００      ランドプリピット検出回路
３０１      遅延器
４００      ランドプリピット検出回路
４０１      第１のバランス回路
４０２      第２のバランス回路
５００      ランドプリピット検出回路
【図１】
2007193925.tif 000003
【図２】
2007193925.tif 000004
【図３】
2007193925.tif 000005
【図４】
2007193925.tif 000006
【図５】
2007193925.tif 000007
【図６】
2007193925.tif 000008
【図７】
2007193925.tif 000009
【図８】
2007193925.tif 000010
【図９】
2007193925.tif 000011
【図１０】
2007193925.tif 000012
【図１１】
2007193925.tif 000013
【図１２】
2007193925.tif 000014
【図１３】
2007193925.tif 000015